(57)【要約】      （修正有）【課題】シートの上に引き回した索体を片手だけを使って緊張させたり緩めたりすることができる農園芸用ハウスのシート押さえ具の提供。【解決手段】帯状の索体５と、支持体６と、クランパー１００とからなる。クランパー１００が、支持体６に係止させたフック部１１４を備えるクランパー主体１１０と、このクランパー主体１１０にスライド自在に取り付けたクランパー補助体１５０とを備える。クランパー補助体１５０は、索体巻掛け部１５１と索体押付け部１５２と可撓部１５３とを有する。索体巻掛け部１５１に巻きかけた索体５のループ部５６の根元を、索体５によって引き上げられたクランパー補助体１５０の索体押付け部１５２とクランパー主体１１０の横行部１１２とによって挟圧させる。【選択図】図３
0003113017.tif 000002
【実用新案登録請求の範囲】
【請求項１】
農園芸用ハウスの骨組みによって保形されたシートの上に張設されてその端部が上記ハウスの下部に配備された支持体に連結される帯状の索体と、上記支持体と、索体を支持体に連結するためのクランパーとからなる農園芸用ハウスのシート押さえ具において、
上記クランパーが、上記支持体に係止されるフック部と横方向に延びた横行部とこの横行部に連結されて縦方向に延びた支持ガイド部とを備えるクランパー主体と、このクランパー主体の上記支持ガイド部に取り付けられて上記横行部に対して接近離反自在なクランパー補助体とによって形成され、
上記クランパー補助体は、上記索体をＵ字形に曲げることによって形成されるＵ形曲り部を横切って延びてそのＵ形曲り部に係止される索体巻掛け部と、上記索体をそのＵ形曲り部とその端縁との間で曲げることによって形成されるループ部が挿通される隙間空間を上記横行部との間に形成し、かつ、その隙間空間に挿通された上記ループ部の根元に形成される索体重なり箇所を横切って延びてその索体重なり箇所を上記横行部との共働により挟圧するための索体押付け部と、それらの索体巻掛け部と索体押付け部とを接近離反可能に連結して索体巻掛け部が上記索体のＵ形曲り部に付与された引張力により引き上げられて上記索体押付け部が上記索体重なり箇所を上記横行部との共働により挟圧したときに上記Ｕ形曲り部を上記索体重なり箇所から離反する方向に弾発付勢する弾性を備えた可撓部とを有していることを特徴とする農園芸用ハウスのシート押さえ具。
【請求項２】
上記クランパー主体は、１本の金属線材を門形に折り曲げることによって１つの横行部と左右２つの支持ガイド部とが形成され、かつ、上記フック部が、上記金属線材を略Ｕ字形に折り曲げることによって左右２つの上記支持ガイド部のそれぞれに連設されている請求項１に記載した農園芸用ハウスのシート押さえ具。
【請求項３】
上記クランパー補助体は、１本の別の金属線材を横向きＵ字形に折り曲げることによって互いに沿って延びる索体巻掛け部と索体押付け部とが形成され、かつ、上記可撓部が、上記別の金属線材を索体巻掛け部と索体押付け部との片側端部相当箇所でそれらの索体巻掛け部及び索体押付け部に対して折返し方向に曲げることによって形成されている請求項２に記載した農園芸用ハウスのシート押さえ具。
【請求項４】
上記クランパー補助体は、上記索体巻掛け部の他端部と上記索体押付け部の他端部とのそれぞれに折返し状に連設された第１嵌合部と、上記可撓部の根元の曲り箇所によって形成された第２嵌合部とを備えていて、それらの第１嵌合部と第２嵌合部とが上記クランパー主体の左右２つの支持ガイド部に各別にスライド自在に嵌合されている請求項３に記載した農園芸用ハウスのシート押さえ具。
【考案の詳細な説明】
【技術分野】
【０００１】
本考案は、農園芸用ハウスのシート押さえ具、特に、農園芸用ハウスの骨組みによって保形されたシートの形崩れなどを防ぐために用いられるシート押さえ具に関する。
【背景技術】
【０００２】
図４に概略で示したように、農園芸用ハウスは、所定の形状に組まれた骨組み１の上に塩化ビニル樹脂シートなどのシート２を張設することによって作られている。また、室内温度などを調節することの便宜のために、シート２をめくり挙げて開口を形成するための昇降部材３が設けられていることもある。このような農園芸用ハウスにおいて、風に煽られてシート２がばたついたり形崩れしたりすることを防ぐためにシート押さえ具４が用いられる。
【０００３】
図４の農園芸用ハウスにおいて、シート押さえ具４は、シート２の上部から側部に亘る部分を囲むようにそのシート２の上に張設された紐や縄などの索体５と、上記ハウスの下部にアンカー６１によって支えられたシャフトやパイプ材でなる支持体６とを備えていて、索体５の端部を支持体６に縛りつけることにより、索体５に一定の張力を与えて支持体６に連結している。５１は索体５の縛り箇所に形成された結び目を示している。
【０００４】
この種の農園芸用ハウスでは、昇降部材３によってシート２をめくり上げるとき、索体５が自然に緩んだとき、その他の必要なときに、上記結び目５１をほどいて索体５を緩めたり、結び目５１をほどいた索体５を再度支持体６に縛りつけて張力を与えるという作業が手作業によって行われる。しかしながら、索体５を支持体６に縛り付けたり、結び目５１を解いて索体５を緩めたりする作業を手作業で行うことには多大な時間と手間が必要になる。特に、長さの長いハウスでは、多くの箇所に索体５が張設されているためにその作業に非常に多くの時間や手間がかかる。
【０００５】
そこで、本願出願人は、索体５を支持体６に縛り付けたり索体５の結び目５１を解いて索体５を緩めたりするという作業に代え、図５に示したクランパー７を用いることによって索体５に張力を与えたりその張力を解放して索体５を緩めたりする作業を簡略にすることを提案した（実願２００３−００２７７１号：実登３０９７８５０）。このクランパー７は、略矩形に形作られた金属製の２つの環体８，９を金属製の帯輪１０，１０によって重なり状態のままスライド自在に連結したものである。このクランパー７において、２つの環体８，９をスライドさせて位置ずれさせることにより形成される３つの開口７１，７２，７３に、ループ状に折り返すことにより上記支持体６に係止される輪部５４を形作った索体５の端部の２枚重ね部５３を蛇行させてスライド自在に挿通させた状態でその索体５の端部を上方へ引張ってその索体５に引張力を付与すると、３つの開口７１，７２，７３に挿通されている２枚重ね部５３が滑らないようにクランパー７によって固定される。また、クランパー７では、３つの開口７１，７２，７３に蛇行状に挿通されている索体５の２枚重ね部５３を緩めてその２枚重ね部５３を滑らせることによって索体５に付与されていた引張力を解放してその索体５を緩ませることができる。そして、このクランパー７を用いることにより、索体５を支持体６に縛り付けたり結び目５１を解いて索体５を緩めたりする作業を行う必要がなくなって索体５を支持体６に連結する作業に要する時間や手間を大幅に短縮することができた。
【考案の開示】
【考案が解決しようとする課題】
【０００６】
しかしながら、図５を参照して説明したクランパー７を用いたシート押さえ具において、索体５に引張力を付与したり索体５の引張力を解放して索体５を緩めたりするときには、クランパー７を片手でつかみ、そのクランパーの３つの開口７１，７２，７３に蛇行状に挿通されている索体５の２枚重ね部５３を他の片手でつかんで緩めることを行った後、その２枚重ね部５３を滑らせて索体５の全長を短くしたり長くしたりすることが必要である。しかし、そのように両手を使うことが要求される作業は、たとえば片手に農具などを持っているようなときではその農具を地面に一旦置いてから行う必要があるために煩わしくなることがあるということが知見された。
【０００７】
そこで、本願考案者は、クランパーを手でつかまずに、索体を片手で引張る操作を行うだけで索体に引張力を与えて緊張させたり索体を緩めたりすることができるようにすることを意図して本考案をなすに至った。
【０００８】
したがって、本考案は、シートを押さえている索体に引張力を与えてその索体を緊張させたり、その索体の引張力を解放してその索体を緩めたりする操作を片手だけで行うことのできる農園芸用ハウスのシート押さえ具を提供することを目的とする。
【０００９】
また、本考案は、索体に引張力を付与した状態を維持することにクランパーを用いる場合に、そのクランパーの構成部品を極力少なくしてクランパーを安価に提供することを目的とする。
【課題を解決するための手段】
【００１０】
本考案に係る農園芸用ハウスのシート押さえ具は、農園芸用ハウスの骨組みによって保形されたシートの上に張設されてその端部が上記ハウスの下部に配備された支持体に連結される帯状の索体と、上記支持体と、索体を支持体に連結するためのクランパーとからなる。また、上記クランパーが、上記支持体に係止されるフック部と横方向に延びた横行部とこの横行部に連結されて縦方向に延びた支持ガイド部とを備えるクランパー主体と、このクランパー主体の上記支持ガイド部に取り付けられて上記横行部に対して接近離反自在なクランパー補助体とによって形成されている。そして、上記クランパー補助体は、上記索体をＵ字形に曲げることによって形成されるＵ形曲り部を横切って延びてそのＵ形曲り部に係止される索体巻掛け部と、上記索体をそのＵ形曲り部とその端縁との間で曲げることによって形成されるループ部が挿通される隙間空間を上記横行部との間に形成し、かつ、その隙間空間に挿通された上記ループ部の根元に形成される索体重なり箇所を横切って延びてその索体重なり箇所を上記横行部との共働により挟圧するための索体押付け部と、それらの索体巻掛け部と索体押付け部とを接近離反可能に連結して索体巻掛け部が上記索体のＵ形曲り部に付与された引張力により引き上げられて上記索体押付け部が上記索体重なり箇所を上記横行部との共働により挟圧したときに上記Ｕ形曲り部を上記索体重なり箇所から離反する方向に弾発付勢する弾性を備えた可撓部とを有している。
【００１１】
この構成であると、骨組みによって保形されたシートの片側の地面に適宜手段を用いて一側の端部が固定されて上記シートの上でその反対側に引き回された帯状の索体の他側の端部のＵ形曲り部を、フック部を支持体に係止させたクランパー主体に取り付けられているクランパー補助体の索体巻掛け部に係止させると共に、クランパー主体の横行部とクランパー補助体の索体押付け部との間の隙間空間に挿通させた索体のループ部を引張ってその隙間空間からのループ部の引出し幅を増大させると、その引出し幅に見合ってシートの上に引き回された索体の有効長が短くなってその索体に引張力が付与され、そのために索体が緊張してシートを押さえる作用を発揮する。こうして索体に引張力が付与されると、クランパー補助体が索体により引き上げられてその索体押付け部がクランパー主体の横行部と共働して索体の上記ループ部の根元の索体重なり箇所を挟圧するので、索体が緩むことなくその有効長（シートを押さえることに使われている索体の長さ）がクランパーにより一定に保たれて索体が緊張したまま保たれる。また、このように索体が緊張したまま保たれているときには、可撓部の作用によって、クランパー補助体の索体巻掛け部がそれに巻き掛けられている索体のＵ形曲り部を上記索体重なり箇所から離反する方向に弾発付勢しているために、たとえシートを押さえている索体が位置ずれしたり気温の変化の影響を受けたりして伸縮したとしても、そのときに生じた伸縮代が索体巻掛け部の変位により吸収されることになって索体が緩んだり過度に緊張したりするという事態が抑えられる。加えて、索体が緊張しているときにその索体のループ部を引張って上記隙間空間からのループ部の引出し幅をさらに増大させると、それに見合って索体をさらに緊張させることが可能である。
【００１２】
一方、緊張している索体を緩めるときには、クランパー補助体の索体押付け部とクランパー主体の横行部とにより挟圧されている索体重なり箇所から延び出ている索体の端縁を引張ってその索体をその挟圧箇所から引き出す。このようにすると、索体のループ部が消失して索体がその挟圧箇所から抜け出てしまうので、クランパーによる索体の固定状態が解かれ、それまで索体に付与されていた引張力が解放されて索体が緩む。
【００１３】
上記したような索体を緊張させる操作や緊張した索体を緩める操作は、索体のループ部又は索体の端縁を引張ることによって行われる操作であるため、それらの操作を片手だけを使って容易に、しかも、迅速に行うことが可能である。
【００１４】
本考案において、上記クランパー主体は、１本の金属線材を門形に折り曲げることによって１つの横行部と左右２つの支持ガイド部とが形成され、かつ、上記フック部が、上記金属線材を略Ｕ字形に折り曲げることによって左右２つの上記支持ガイド部のそれぞれに連設されていることが望ましい。これによれば、クランパー主体を１本の金属線材を折り曲げるだけで製作することが可能であるために、クランパー主体の構成部品の必要点数が最少限度に押さえられる。
【００１５】
本考案において、上記クランパー補助体は、１本の別の金属線材を横向きＵ字形に折り曲げることによって互いに沿って延びる索体巻掛け部と索体押付け部とが形成され、かつ、上記可撓部が、上記別の金属線材を索体巻掛け部と索体押付け部との片側端部相当箇所でそれらの索体巻掛け部及び索体押付け部に対して折返し方向に曲げることによって形成されていることが望ましい。これによれば、クランパー補助体を１本の別の金属線材を折り曲げるだけで製作することが可能であるために、クランパー主体の構成部品の必要点数が最少限度に押さえられる。しかも、上記のようにクランパー主体を１本の金属線材を折り曲げるだけで製作することが可能であることと相まって、当該クランパーの構成部品の必要点数を最少限度に押さえてその価格を安く抑えることが可能になる。
【００１６】
本考案において、上記クランパー補助体は、上記索体巻掛け部の他端部と上記索体押付け部の他端部とのそれぞれに折返し状に連設された第１嵌合部と、上記可撓部の根元の曲り箇所によって形成された第２嵌合部とを備えていて、それらの第１嵌合部と第２嵌合部とが上記クランパー主体の左右２つの支持ガイド部に各別にスライド自在に嵌合されていることが望ましい。これによっても、当該クランパーの構成部品の必要点数を最少限度に押さえてその価格を安く抑えることが可能になる。
【考案の効果】
【００１７】
以上のように、本考案に係る農園芸用ハウスのシート押さえ具は、片手だけを使ってシートの上に引き回されている索体を容易にかつ迅速に緊張させたり緩めたりすることができるため、作業者が片手に農具などを持ったまま索体を容易にかつ迅速に緊張させたり緩めたりすることができるようになるという利便がある。そのため、長さの長いハウスの多くの箇所に索体５が張設されている場合であっても、その索体を緊張させたり緩めたりする作業をそれほどの手間を掛けることなく短時間で行うことができるようになるという卓越した効果が奏される。
【考案を実施するための最良の形態】
【００１８】
図１は本考案の実施形態に係るシート押さえ具の使用状態を示した斜視図である。また、図２（Ａ）はクランパー１００の平面図、同（Ｂ）は同正面図である。さらに、図３（Ａ）は索体５を緊張させた状態での作用説明図、同（Ｂ）は索体５を緩めた状態での作用説明図である。
【００１９】
図１に示したように、実施形態のシート押さえ具は、図４で説明したハウスの下部に配備された支持体６と、図４で説明した骨組み１によって保形されたシート２の上部から側部に亘る部分を囲むようにそのシート２の上に張設された帯状の索体５と、クランパー１００とによって構成されていて、索体５は、骨組み１によって保形されたシート２の片側の地面に適宜手段を用いて一側の端部が固定されて上記シート２の上でその反対側に引き回され（図４参照）、その索体５の他側の端部が、上記支持体６に連結されているクランパー１００に保持されている。索体５には、５ｃｍ前後の幅寸法を有する帯状の樹脂バンドが採用されていて、その樹脂バンドには、等間隔おきに図５に見られる平行な条線５２が具備されていて、その条線５２の形成箇所では、樹脂バンドの肉厚が他の箇所よりも少し厚くなっていて、この条線５２が樹脂バンドの伸縮を抑制する作用を発揮するようになっている。
【００２０】
図１又は図２のように、クランパー１００は、クランパー主体１１０とクランパー補助体１５０とを備えていて、それらのクランパー主体１１０やクランパー補助体１５０はいずれも１本の金属線材を折り曲げることによって形作られている。
【００２１】
すなわち、クランパー主体１１０は、まっすぐな横行部１１２と、その横行部１１２の両方の端部のそれぞれに連設して直角に曲成されて縦方向に延びる左右一対のまっすぐな支持ガイド部１１３，１１３とを備えた門形に形成されていて、さらに左右の支持ガイド部１１３，１１３のそれぞれの下端に同一形状の弾性を備えるフック部１１４，１１４が連設して曲成されている。この実施形態において、フック部１１４は、支持体６を遊嵌状態で受け入れ可能な広さの凹所を備えているのに対して、その受入れ口１１５の口幅寸法は支持体６の直径寸法よりも短くなっている。そのため、支持体６をその受入れ口１１５に分け入らせて左右のフック部１１４，１１４を支持体６に係止させた後では、支持体６に対してフック部１１４，１１４が揺動可能であるにもかかわらず、フック部１１４が支持体６から簡単に脱落してしまうという事態が起こらない利点がある。
【００２２】
これに対し、クランパー補助体１５０は、互いに沿ってまっすぐに延びる下側の索体巻掛け部１５１及び上側の索体押付け部１５２と、これらの索体巻掛け部１５１及び索体押付け部１５２の一端部同士を連結している可撓部１５３と、索体巻掛け部１５１の他端部と索体押付け部１５２の他端部とのそれぞれに折返し状に連設された第１嵌合部１５４，１５５と、上記可撓部１５３の根元に具備された第２嵌合部１５６とを備えている。さらに具体的に説明すると、索体巻掛け部１５１と索体押付け部１５２には、それらの根元である可撓部１５３との連設部分から離れるほど相互間隔が拡がるように上向き又は下向きの勾配が付与されていて、そのような自然状態での姿勢を中立位置として、可撓部１５３の変形を伴って互いに接近する方向（両者の開き角度を狭める方向）に変位したり互いに離反する方向（両者の開き角度を拡げる方向）に変位したりすることができるようになっている。また、可撓部１５３は、索体巻掛け部１５１と索体押付け部１５２とが互いに接近する方向に変位したとき、及び、索体巻掛け部１５１と索体押付け部１５２とが互いに離反する方向に変位したときには、それらを中立位置に復帰させることのできる弾性を備えている。さらに、第１嵌合部１５４，１５５は、索体巻掛け部１５１や索体押付け部１５２の端部で金属線材を折返し状に曲げることによって形成されているのに対し、第２嵌合部１５６は、可撓部１５３の根元の曲り箇所によって形成されている。そして、第１嵌合部１５４，１５５をクランパー主体１１０の片側の支持ガイド部１１３にスライド自在に嵌合させ、かつ、第２嵌合部１５６をクランパー主体１１０の他側の支持ガイド部１１３にスライド自在に嵌合させることによってクランパー補助体１５０をクランパー主体１１０の横行部１１２に対して接近離反自在に取り付けてある。なお、第１嵌合部１５４，１５５や第２嵌合部１５６は、左右の各支持ガイド部１１３の半周を越える範囲に巻き付いた状態に形成されていて、そのような構成を採用しているために、クランパー補助体１５０がクランパー主体１１０の横行部１１２やフック部１１４に挾まれてそのクランパー主体１１０から脱落しないようになっている。
【００２３】
次に、シート押さえ具の作用と共に索体５を張設する手順の一例を主に図３を参照して説明する。
【００２４】
骨組みによって保形されたシートの片側の地面に適宜手段を用いて一側の端部が固定されてそのシートの上で反対側に引き回された帯状の索体５の他側の端部をＵ字形に曲げることによって形成したＵ形曲り部５５を、クランパー補助体１５０の下側で門形のクランパー主体１１０に通してクランパー補助体１５０の索体巻掛け部１５１に上側に向けて巻き掛けた後、その索体５をＵ形曲り部５５とその端縁５７との間で曲げることによって形成したループ部５６を、クランパー主体１１０の横行部１１２とクランパー補助体１５０の索体押付け部１５２との間に形成されている隙間空間Ｓ（図１参照）に挿通させることによって索体５の端縁５７を前側へ引き出しておく。この段階では、クランパー補助体１５０の索体巻掛け部１５１が索体５のＵ形曲り部５５を横切って延び、また、索体押付け部１５２が索体５のループ部５６の根元に形成される索体重なり箇所イを横切って延びている。
【００２５】
次の段階で、上記隙間空間Ｓを挿通している索体５のループ部５６を引張り上げてその隙間空間Ｓからのループ部５６の引出し幅を増大させると、その引出し幅に見合ってシートの上に引き回された索体５の有効長が短くなってその索体に引張力が付与され、そのために索体５が緊張してシートを押さえる作用を発揮する。
【００２６】
こうして索体５に引張力が付与されると、図３（Ａ）のように、クランパー補助体１５０が索体５により引き上げられてその索体押付け部１５２がクランパー主体１１０の横行部１１２と共働して索体５のループ部５６の根元の索体重なり箇所イを挟圧するので、索体５が緩むことなくその有効長がクランパー１００により一定に保たれて索体５が緊張したまま保たれる。
【００２７】
また、このように索体５が緊張したまま保たれているときには、可撓部１５３による付勢に抗してクランパー補助体１５０の索体巻掛け部１５１が上方に変位しているので、その反力によって索体巻掛け部１５１が索体５のＵ形曲り部５５を矢印Ｄのように下方へ弾発付勢している。そのために、たとえシートを押さえている索体５が位置ずれしたり気温の変化の影響を受けたりして伸縮したとしても、そのときに生じた伸縮代が索体巻掛け部１５１の下方又は上方への変位により吸収されることになって索体５が緩んだり過度に緊張したりするという事態が抑えられる。加えて、索体５が緊張しているときにその索体５のループ部５６を図３（Ａ）の矢印Ｕのように引張り上げて上記隙間空間Ｓからのループ部５６の引出し幅をさらに増大させると、それに見合って索体５をさらに緊張させることが可能である。
【００２８】
緊張している索体を緩めるときには、図３（Ｂ）の矢印Ｐのように索体５の端縁５７を前又は上に引張ってその索体５を引き出す。このようにすると、索体５のループ部５６が消失して索体５がクランパー主体１１０の横行部１１２とクランパー補助体１５０の索体押付け部１５２とによる挟圧箇所から抜け出てしまうので、クランパー１００による索体５の固定状態が解かれてクランパー補助体１５０が矢印Ｙのように下がり、それまで索体５に付与されていた引張力が解放されて索体が緩む。
【００２９】
ここで、上記したような索体５を緊張させる操作や緊張した索体５を緩める操作は、索体５のループ部５６又は索体５の端縁５７を引張ることによって行われる操作であるため、それらの操作を片手だけを使って容易に、しかも、迅速に行うことが可能である。
【図面の簡単な説明】
【００３０】
【図１】本考案の実施形態に係るシート押さえ具の使用状態を示した斜視図である。
【図２】（Ａ）はクランパーの平面図、（Ｂ）は同正面図である。
【図３】（Ａ）は索体を緊張させた状態での作用説明図、（Ｂ）は索体を緩めた状態での作用説明図である。
【図４】農園芸用ハウスの部分斜視図である。
【図５】従来例の使用状態を示した要部の概略斜視図である。
【符号の説明】
【００３１】
１  骨組み
２  シート
５  索体
６  支持体
５５  索体のＵ形曲り部
５６  索体のループ部
５７  索体の端縁
１００  クランパー
１１４  フック部
１１２  横行部
１１３  支持ガイド部
１１０  クランパー主体
１５０  クランパー補助体
１５１  索体巻掛け部
１５２  索体押付け部
１５３  可撓部
１５４，１５５  第１嵌合部
１５６  第２嵌合部
Ｓ  隙間空間
イ  索体重なり箇所
【図１】
0003113017.tif 000003
【図２】
0003113017.tif 000004
【図３】
0003113017.tif 000005
【図４】
0003113017.tif 000006
【図５】
0003113017.tif 000007